(57)【特許請求の範囲】
【請求項１】
椅子のフレームのコーナー部に設けられた外向きの溝に張地の縁を内側に折り返して嵌め込むことで前記フレームに前記張地をテンションを掛けた状態で張り渡す張地の係止構造において、前記張地の縁の前記フレームのコーナー部に対応する位置にギャザーを形成して前記コーナー部の曲がり具合に対応する形状に折り返して成る溝嵌め込み部を有し、ギャザーの折り返しのみから成る前記溝嵌め込み部を前記フレームのコーナー部の前記溝に嵌め込むことで前記コーナ部の張り地を支持することを特徴とする張地の係止構造。
【請求項２】
前記溝嵌め込み部は、縫製により形状を維持されていることを特徴とする請求項１記載の張地の係止構造。
【請求項３】
前記溝嵌め込み部の少なくともいずれか一側には前記フレームの直線部に設けられた前記溝に嵌め込まれる係止プレートが縫い付けられており、前記溝嵌め込み部は前記係止プレートを前記張地に縫い付ける糸によってそのまま補強縫いされていることを特徴とする請求項１記載の張地の係止構造。
【請求項４】
前記フレームは椅子の背枠又は座枠であることを特徴とする請求項１記載の張地の係止構造。
【請求項５】
椅子のフレームのコーナー部に設けられた外向きの溝に張地の縁を内側に折り返して嵌め込むことで前記フレームに前記張地をテンションを掛けた状態で張り渡す張地の係止方法において、前記張地の縁の前記フレームのコーナー部に対応する位置にギャザーを形成して前記コーナー部の曲がり具合に対応する形状に折り返された溝嵌め込み部を形成し、ギャザーの折り返しのみから成る前記溝嵌め込み部を前記コーナー部に設けられている前記溝に嵌め込むことで前記コーナ部の張り地を支持することを特徴とする張地の係止方法。
【請求項６】
前記溝嵌め込み部は、平面状態の前記張地の縁に沿って糸を縫い付けた後、前記糸を引っ張りながら前記張地を絞ることで内側に折り返されて形成されることを特徴とする請求項５記載の張地の係止方法。
【請求項７】
前記溝嵌め込み部を形成した後、前記溝嵌め込み部の少なくともいずれか一側に前記フレームの直線部に設けられた前記溝に嵌め込まれる係止プレートを縫い付けるものであって、前記係止プレートを縫い付ける際、前記係止プレートを縫い付ける糸によってそのまま前記溝嵌め込み部を補強縫いすることを特徴とする請求項５記載の張地の係止方法。
【請求項８】
前記フレームは椅子の背枠又は座枠であることを特徴とする請求項５記載の張地の係止方法。
【発明の詳細な説明】
【技術分野】
【０００１】
本発明は、椅子の座や背もたれ等の身体を支える面を構成する張地のフレームへの係止構造および張地の係止方法に関する。さらに詳述すると、本発明は、フレームのコーナー部からの張地の外れ防止に好適な張地の係止構造および張地の係止方法に関する。
【背景技術】
【０００２】
近年、身体を支えるのに十分な強さと弾力性とを有する張地の縁をフレームに取り付けて張地で身体を支えるようにした椅子の背もたれや座などの構造体が提案されている。この張地のフレームへの係止構造は、張地の縁を支えるフレームあるいはこれに代わる張地バックアップ部材の側面に溝を設け、この溝に張地の縁を該縁に縫い付けられた樹脂製の係止プレート（以下コードと呼ぶ）ともども折り返すように嵌め込むことにより、張地をフレームあるいは張地バックアップ部材に係止させるようにしている。
【０００３】
例えば、図９に示すように、背フレーム１０３に支持される張地バックアップ材１０４の横枠１０４ａの上方の側面及び左右の縦枠１０４ｂの外側面にそれぞれ溝１０４ｘを形成すると共に背凭れ用張地１０１の上側及び左右両側の縁に長尺薄板状の樹脂製コード１０２を取り付け、当該樹脂製コード１０２が取り付けられた縁を樹脂製コード１０２ともども折り返すようにして溝１０４ｘに嵌め込んで係止するようにしている（特許文献１）。なお、背凭れ用張地１０１の下端は、当該下端に取り付けられたブラケット１０５を剛性横架材１０６にボルト１０７を用いて固定することによって取り付けられている。
【０００４】
この張地のフレームへの係止構造においては、折り返すようにして溝１０４ｘに嵌め込まれた樹脂製コード１０２が張地の張力によってフックのように背フレーム１０３に引っかかることにより、張地１０１を背フレーム１０３に係止させることを可能としている。したがって、対向する２辺の間で張地に張力が働く箇所に樹脂製コード１０２が縫い付けられて溝１０４ｘに嵌め込まれるようにされている。即ち、特許文献１記載の発明にかかる張地のフレームへの係止構造によれば、張地１０１に縫い付けられている樹脂製コード１０２は、図１０に示すように、背フレーム１０３のコーナー部に対応する張地１０１の角部には設けられていない。そして、張地１０１は、角部においては、張地１０１のみが治具などを用いて溝１０４ｘに押し込まれることにより張地１０１の角の縁が止められている。
【先行技術文献】
【特許文献】
【０００５】
【特許文献１】特開２００７−１３０３４１号公報
【発明の概要】
【発明が解決しようとする課題】
【０００６】
しかしながら、特許文献１の張地の係止構造では、図１０に示すように、背フレーム１０３のコーナー部に対応する張地１０１の角部においては、張地１０１のみが治具を使って溝１０４ｘに押し込まれて形が整えられていることから、張地１０１を引き出す力が加えられた場合には、張地１０１が飛び出してくる可能性がある。この張地１０１の飛び出しそのものは、直ちに張地１０１の支持強度には影響を与えるものではないが、外観の美しさが損なわれてしまうという問題がある。
【０００７】
本発明は、張地のフレームのコーナー部に対応する位置を容易に飛び出させない張地の係止構造および張地の係止方法を提供することを目的とする。
【課題を解決するための手段】
【０００８】
かかる目的を達成するために請求項１記載の発明は、椅子のフレームのコーナー部に設けられた外向きの溝に張地の縁を内側に折り返して嵌め込むことでフレームに張地をテンションを掛けた状態で張り渡す張地の係止構造において、張地の縁のフレームのコーナー部に対応する位置にギャザーを形成してコーナー部の曲がり具合に対応する形状に折り返して成る溝嵌め込み部を有し、ギャザーの折り返しのみから成る溝嵌め込み部をフレームのコーナー部の溝に嵌め込むことでコーナ部の張り地を支持するようにしている。
【０００９】
また、請求項２記載の張地の係止構造は、溝嵌め込み部が縫製により形状を維持されている。
【００１０】
また、請求項３記載の張地の係止構造は、溝嵌め込み部の少なくともいずれか一側にはフレームの直線部に設けられた溝に嵌め込まれる係止プレートが縫い付けられており、溝嵌め込み部は係止プレートを張地に縫い付ける糸によってそのまま補強縫いされている。
【００１１】
また、請求項４記載の張地の係止構造は、フレームは椅子の背枠又は座枠である。
【００１２】
さらに、請求項５記載の発明は、椅子のフレームのコーナー部に設けられた外向きの溝に張地の縁を内側に折り返して嵌め込むことでフレームに張地をテンションを掛けた状態で張り渡す張地の係止方法において、張地の縁のフレームのコーナー部に対応する位置にギャザーを形成してコーナー部の曲がり具合に対応する形状に折り返された溝嵌め込み部を形成し、ギャザーの折り返しのみから成る溝嵌め込み部をコーナー部に設けられている溝に嵌め込むことでコーナ部の張り地を支持するようにしている。
【００１３】
また、請求項６記載の張地の係止方法は、溝嵌め込み部を、平面状態の張地の縁に沿って糸を縫い付けた後、糸を引っ張りながら張地を絞ることで内側に折り返されて形成されるようにしている。
【００１４】
また、請求項７記載の張地の係止方法は、溝嵌め込み部を形成した後、溝嵌め込み部の少なくともいずれか一側にフレームの直線部に設けられた溝に嵌め込まれる係止プレートを縫い付けるものであって、係止プレートを縫い付ける際、係止プレートを縫い付ける糸によってそのまま溝嵌め込み部を補強縫いするようにしている。
【００１５】
また、請求項８記載の張地の係止方法は、フレームは椅子の背枠又は座枠である。
【発明の効果】
【００１６】
請求項１，５記載の発明によると、張地の縁のフレームのコーナー部に対応する位置に溝嵌め込み部を形成し、この溝嵌め込み部をフレームのコーナー部の溝に嵌め込むようにしているので、この位置に張地の縁を捲るような外力が作用した場合であっても、張地の縁をそのまま溝に押し込む場合に比べて張地の縁が抜け難くなり、張地の縁をフレームのコーナー部から外れ難くすることができる。また、溝嵌め込み部を予め形成することで、張地の縁をフレームのコーナー部の溝に嵌め込み易くなると共にきれいな仕上がり状態になる。さらに、フレームのコーナー部の溝への張地の挿入量を一定にし易くなり、特に作業者によるばらつきの発生を抑えることができて品質を一定にすることができる。
【００１７】
また、請求項２，６記載の発明によると、縫製によって溝嵌め込み部を簡単に形成することができる。
【００１８】
また、請求項３，７記載の発明によると、係止プレートの溝嵌め込み部の補強を簡単に行うことができる。
【００１９】
さらに、請求項４，８記載の発明によると、椅子の背もたれ又は座への適用が可能である。
【図面の簡単な説明】
【００２０】
【図１】本発明の張地の係止構造の実施形態の一例を示し、フレームのコーナー部の縦断面図である。
【図２】図１のII-II線に沿う断面図である。
【図３】図１のIII-III線に沿う断面図である。
【図４】張地のコーナー部対応位置に糸を縫い付けた状態の平面図である。
【図５】張地のコーナー部対応位置に溝嵌め込み部を形成する様子を説明するための斜視図である。
【図６】張地のプレート縫い付け部に係止プレートを取り付ける様子を説明するための図である。
【図７】フレームのコーナー部に張地の縁を嵌め込む様子を説明するための図である。
【図８】フレームのコーナー部を説明するためのもので、（Ａ）は矩形状のフレームを示す正面図、（Ｂ）はフレームの外側に膨らむように湾曲した部分を示す正面図、（Ｃ）はフレームの内側に突出するように湾曲した部分を示す正面図である。
【図９】従来の椅子の張地の係止構造を示し、（Ａ）は背もたれ部分を中心とする分解斜視図、（Ｂ）は張地の係止構造を示す横断面図である。
【図１０】従来の椅子の張地の係止構造において環状フレームのコーナー部を拡大して示す底面図である。
【発明を実施するための形態】
【００２１】
以下、本発明の構成を図面に示す形態に基づいて詳細に説明する。
【００２２】
図１〜図７に、本発明の張地の係止構造の実施形態の一例を示す。張地の係止構造は、椅子のフレーム１のコーナー部１ａに設けられた外向きの溝２に張地３の縁３ａを内側に折り返して嵌め込むことでフレーム１に張地３をテンションを掛けた状態で張り渡すものであって、張地３の縁３ａのフレーム１のコーナー部１ａに対応する位置にギャザー４を形成してコーナー部１ａの曲がり具合に対応する形状に折り返した溝嵌め込み部５を設けたものである。
【００２３】
フレーム１は椅子の張地３を張り渡すもので、フレームそのものの他、図１０に示す張地バックアップ材等をも含んでいる。本実施形態では背もたれのフレームとしての背枠に張地３を張り渡すようにしている。即ち、枠状のフレーム１に張地３を張り渡すことで椅子の背もたれを形成している。ただし、フレーム１としては背枠に限られるものではなく、例えば座枠等でも良い。また、枠状のフレームに張地３を張り渡して肘掛けやヘッドレストを形成する場合の当該フレームでも良い。
【００２４】
フレーム１の外側面１ｃ、即ち張地３を広げる方向の面には張地３の縁３ａを折り返して挿入する溝２が設けられている。溝２はフレーム１の長手方向に沿って形成されている。
【００２５】
フレーム１にはコーナー部１ａが設けられている。ここで、コーナー部１ａとは、例えば矩形状の枠の四隅部分（例えば図８（Ａ）のコーナー部１ａ）、外側（張地３を広げる方向）に膨らむように湾曲している部分（例えば図８（Ｂ）のコーナー部１ａ）、内側（張地３を広げる方向とは逆方向）に突出するように湾曲している部分（例えば図８（Ｃ）のコーナー部１ａ）等、張地３を面として考えた場合に当該面に平行な面内で曲げられている部分をいう。
【００２６】
本実施形態では、フレーム１のコーナー部１ａの両側は直線部１ｂとなっている。ただし、必ずしもコーナー部１ａの両側が直線部１ｂである必要はなく、例えばＳ字状にコーナー部１ａが連続するものでも良く、あるいは３つ以上のコーナー部１ａが連続するものでも良い。
【００２７】
フレーム１としては張地３を張り渡すものであれば良く、例えば端の無い環状（矩形状、楕円形状、円形状、三角形状、多角形状等）のフレームでも良いし、例えばＵ字形状、く字形状、弓形状等の端のあるフレームでも良い。また、張地３を１つのフレーム（例えば環状のフレーム、Ｕ字形状のフレーム、弓形状のフレーム等）に張り渡す場合の当該フレームでも良いし、複数のフレーム（例えばＵ字形状のフレーム、弓形状のフレーム、く字形状のフレーム、Ｉ字形状のフレーム等）を組み合わせて張地３を張り渡す場合の当該フレームでも良い。
【００２８】
張地３はフレーム１の形状に対応した形状に予めカットされている（図４参照）。張地３の縁３ａのフレーム１のコーナー部１ａに対応する位置（以下、コーナー部対応位置という）３ｂには、溝嵌め込み部５が設けられている。溝嵌め込み部５は、例えば縫製によりその形状を維持されており、フレーム１のコーナー部１ａに設けられている溝２に嵌め込まれている。
【００２９】
なお、張地３の材質は、フレーム１に張り渡された状態で背もたれとして適度な弾力性と張力とを発揮し得る材質（言い換えると、伸縮自在の素材）であれば特定のものに限定されるものではなく、例えばポリエステル製メッシュシート、各種の樹脂フィルム、布地、不織布などが用いられている。
【００３０】
張地３の溝嵌め込み部５の少なくとも一側には、フレーム１の直線部１ｂに設けられた溝２に嵌め込まれる係止プレート（コード）６が縫い付けられている。本実施形態では、溝嵌め込み部５の両側に係止プレート６が縫い付けられている。係止プレート６は、張地３の縁３ａを折り返した場合に内側になる面に縫い付けられている。ただし、係止プレート６を縫い付ける面は折り返した場合の内側面に限るものではなく、外側面に縫い付けるようにしても良い。
【００３１】
本実施形態では、係止プレート６を張地３に縫い付ける糸７によって溝嵌め込み部５がそのまま補強縫いされている。縫い付けは、例えばミシンを使用して行われる。ただし、必ずしもミシンを使用して縫い付ける場合に限られず、手縫い等によって縫い付けるようにしても良い。
【００３２】
係止プレート６は可撓性を有しており、例えば樹脂によって形成されている。係止プレート６の幅は、溝２の深さよりも若干短くなっている。また、係止プレート６の幅は、張地３のテンションによって溝２から抜けることがない寸法となっている。
【００３３】
次に、本発明の張地３の係止方法について説明する。張地３の係止方法は、椅子のフレーム１のコーナー部１ａに設けられた外向きの溝２に張地３の縁３ａを内側に折り返して嵌め込むことでフレーム１に張地３をテンションを掛けた状態で張り渡すものであり、張地３のコーナー部対応位置３ｂにギャザー４を形成してコーナー部１ａの曲がり具合に対応する形状に折り返えされた溝嵌め込み部５を形成し、溝嵌め込み部５をコーナー部１ａに設けられている溝２に嵌め込むものである。
【００３４】
溝嵌め込み部５の形成について説明する。予めフレーム１の形状に合わせてカットされた張地３について、少なくともそのコーナー部対応位置３ｂを平面状に広げ、縁３ａに沿って糸８を縫い付ける（図４）。本実施形態ではミシンを使用して縫い付けを行う。縫い糸８（ミシン糸の上糸８ａ及び下糸８ｂ）の一端についは止め縫いを行っておき、上糸８ａ及び下糸８ｂが抜けないようにしておく。また、他端については作業し易い長さだけ引き延ばしておく。なお、図４中、符号９で示す仮想線は縁３ａの折り返し位置を示している。
【００３５】
次に、上糸８ａと下糸８ｂのいずれか一方の他端を引っ張りながら張地３を絞る（図５）。これにより、ギャザー４が形成される。そして、上糸８ａと下糸８ｂの他端を結んでギャザー４が延びるのを防止した後、このギャザー４の部分を内側に折り返しながら形状を整えることで、コーナー部１ａの曲がり具合に対応した形状の溝嵌め込み部５が形成される（図６）。
【００３６】
溝嵌め込み部５を形成した後、溝嵌め込み部５の両側に係止プレート６を縫い付ける（図６）。本実施形態ではミシンを使用して係止プレート６を縫い付ける。溝嵌め込み部５の形成によって張地３の縁３ａの係止プレート６を縫い付ける部分（以下、プレート縫い付け部という）３ｃは内側に若干折り込まれるので、この部分を捲りながら係止プレート６を縫い付ける。本実施形態では、プレート縫い付け部３ｃの内側面に係止プレート６を縫い付けているが、外側面に係止プレート６を縫い付けるようにしても良い。また、本実施形態では、プレート縫い付け部３ｃを捲りながら内側から縫い付け作業を行うが、外側から縫い付け作業を行っても良い。
【００３７】
また、係止プレート６を縫い付ける際、係止プレート６を縫い付ける糸７によってそのまま溝嵌め込み部５を補強縫いする。本実施形態ではミシンを使用して係止プレート６を縫い付けているので、片方の係止プレート６を溝嵌め込み部５から遠い方の端から縫い始めて縫い付けた後、内側に折り込まれている溝嵌め込み部５を捲りながらそのまま連続して溝嵌め込み部５を縫い付け、更に、もう片方の係止プレート６をそのまま連続して縫い付ける。溝嵌め込み部５を補強縫いすることで、溝嵌め込み部５をよりしっかりと縫い付けることができる。
【００３８】
次に、張地３をフレーム１に張り渡す（図７）。必要に応じて張地３にテンションを掛けながら溝嵌め込み部５をフレーム１のコーナー部１ａの溝２に嵌め込み、次いで両側の係止プレート６及び張地３のプレート縫い付け部３ｃをフレーム１の直線部１ｂの溝２に嵌め込む。そして、必要に応じて張地３の溝嵌め込み部５やプレート縫い付け部３ｃ及び係止プレート６を溝２の長さ方向に細かく往復動させてしっかりと嵌め込み、さらに張地３の外観を整える。
【００３９】
なお、フレーム１に複数のコーナー部１ａが設けられている場合には、各コーナー部１ａ毎に対応する溝嵌め込み部５を形成し、各溝嵌め込み部５、各プレート縫い付け部３ｃ及び各係止プレート６をそれぞれ溝２の対応する部位に嵌め込んで張地３をフレーム１に張り渡す。
【００４０】
そして、張地３の縁３ａのフレーム１の溝２に嵌め込むべき部分を全て嵌め込むことで、張地３がフレーム１に張り渡される。張地３のテンションによって溝嵌め込み部５等の張地３の縁３ａや係止プレート６がフックのように引っかかり、張地３をフレーム１に係止することができる。張地３の縁３ａは張地３のテンションによって抜けない程度に深く溝２に嵌め込まれており、且つ、溝嵌め込み部５の厚さやプレート縫い付け部３ｃ及び係止プレート６の厚さと溝２の幅の関係も張地３がテンションによって抜けないように設定されており、また、溝嵌め込み部５及び係止プレート６は張地３のテンションによって抜けない程度の剛性を有しているので、張地３はフレーム１にしっかりと張り渡される。
【００４１】
本発明では、張地３のコーナー部対応位置３ｂに溝嵌め込み部５を形成し、溝嵌め込み部５をコーナー部１ａの溝２に嵌め込むようにしているので、フレーム１のコーナー部１ａに張地３を張り渡すのが容易である。例えば、治具等を使用しなくても溝嵌め込み部５を溝２に簡単に嵌め込むことができる。そのため、作業性を向上させることができる。
【００４２】
また、張地３のコーナー部対応位置３ｂに溝嵌め込み部５を形成することで、この部分が溝２から抜け難くなり、椅子の使用によってフレーム１のコーナー部１ａから張地３が外れてしまうのを防止することができる。なお、フレーム１の直線部１ｂから張地３が外れてしまうのを防止できることは勿論である。
【００４３】
また、張地３のコーナー部対応位置３ｂに溝嵌め込み部５を形成し、この溝嵌め込み部５を溝２に嵌め込むようにすることで、この部分の仕上がりをきれいすることができる。
【００４４】
また、張地３のコーナー部対応位置３ｂに溝嵌め込み部５を形成し、この溝嵌め込み部５を溝２に嵌め込むようにすることで、溝２への張地３の挿入量を一定にし易くなり、特に作業者によるばらつきの発生を抑えることができて品質を一定にすることができる。
【００４５】
さらに、張地３のコーナー部対応位置３ｂに縫い付けた糸８を引っ張り張地３の縁３ａを絞ることで溝嵌め込み部５を形成することができるので、溝嵌め込み部５を簡単に形成することができ、この点からも作業性に優れている。
【００４６】
なお、上述の形態は本発明の好適な形態の一例ではあるがこれに限定されるものではなく本発明の要旨を逸脱しない範囲において種々変形実施可能である。
【００４７】
例えば、上述の説明では、溝嵌め込み部５の形状を縫製によって維持するように、即ちギャザー４が壊れないようにしていたが、必ずしも縫製によって形状を維持する必要はなく、例えば接着剤を使用した接着、係止具による係止等によって形状を維持するようにしても良い。
【００４８】
また、上述の説明では、張地３の溝嵌め込み部５の両側に係止プレート６を縫い付けて張地３の縁３ａと一緒に溝２に嵌め込むようにしていたが、必ずしも係止プレート６を縫い付ける必要はなく、例えば張地３の縁３ａの剛性が大きい場合等には係止プレート６を省略して張地３の縁３ａのみを溝２に嵌め込むようにしても良い。また、溝嵌め込み部５の両側に係止プレート６を縫い付ける必要はなく、どちらか一側にのみ係止プレート６を縫い付けるようにしても良い。これらの場合には、作業がより簡単なものになる。
【００４９】
また、上述の説明では、係止プレート６を張地３の縁３ａに縫い付けるようにしていたが、係止プレート６を張地３に取り付ける手段としては縫製に限るものではなく、例えば接着剤や係止具等を使用して取り付けるようにしても良い。
【００５０】
また、上述の説明では、係止プレート６を張地３に縫い付ける糸７によって溝嵌め込み部５をそのまま補強縫いしていたが、係止プレート６を縫い付ける糸７とは別の糸を使用して溝嵌め込み部５を補強縫いしても良く、あるいは、補強縫いが不要な場合等には溝嵌め込み部５の補強縫いをしなくても良い。補強縫いをしない場合には、作業がより簡単になる。
【００５１】
また、上述の説明では、１組の糸８（上糸８ａと下糸８ｂ）を使用して溝嵌め込み部５を縫い付けていたが、必ずしも上糸８ａと下糸８ｂを使用する必要はなく、１本の糸８によって溝嵌め込み部５を縫い付けても良い。この場合にも糸８を引っ張り張地３の縁３ａを絞ることで、溝嵌め込み部５を形成することができる。
【００５２】
また、上述の説明では、溝嵌め込み部５を溝２に嵌め込んでからその脇の係止プレート６及びプレート縫い付け部３ｃを溝２に嵌め込むようにしていたが、必ずしもこの順番に限られるものではなく、係止プレート６及びプレート縫い付け部３ｃを溝２に嵌め込んでから溝嵌め込み部５を溝２に嵌め込むようにしても良い。
【００５３】
また、例えば、矩形状の環状のフレーム１に張地３を架け渡す場合等には、張地３のフレーム１の四隅に対応する部分に溝嵌め込み部５を形成しておき、隣り合う２つの隅に対応する溝嵌め込み部５をフレーム１のコーナー部１ａの溝２に嵌め込んだ後、これらの間の係止プレート６及びプレート縫い付け部３ｃをフレーム１の直線部１ｂの溝２に嵌め込むようにしても良い。この場合には、フレーム１の直線部１ｂに張地３を嵌め込む際には既にその両側がはめ込まれているので、フレーム１の直線部１ｂへの張地３の嵌め込みが容易になる。
【符号の説明】
【００５４】
１  フレーム
１ａ  コーナー部
１ｂ  直線部
２  溝
３  張地
３ａ  縁
３ｂ  コーナー部対応位置
４  ギャザー
５  溝嵌め込み部
６  係止プレート
７  係止プレートを張地に縫い付ける糸
【図１】
0005636250.tif 000002
【図２】
0005636250.tif 000003
【図３】
0005636250.tif 000004
【図４】
0005636250.tif 000005
【図５】
0005636250.tif 000006
【図６】
0005636250.tif 000007
【図７】
0005636250.tif 000008
【図８】
0005636250.tif 000009
【図９】
0005636250.tif 000010
【図１０】
0005636250.tif 000011